(57)【特許請求の範囲】
【請求項１】
有害獣を捕獲する捕獲用具において、
有害獣が侵入するための開口を有する捕獲用具本体と、
該捕獲用具本体の開口に上下スライド自在に支持された落し扉と、
上半部と下半部とを相互に折り畳み可能に連結して構成され、上記上半部及び下半部の一方の先端が上記落し扉に、他方の先端が上記捕獲用具本体に各々回動可能に取付けられ、上記上半部と下半部の真直姿勢において上記落し蓋の荷重に抗して上記落し蓋を開放位置に保持する一方、その折り畳み動作によって上記落し蓋の落下を許容し、上記上半部及び下半部を折り畳み方向に引っ張るワイヤの先端が折り畳み動作中に離脱しえるように引っ掛けられるフックが設けられている棒状のストッパーと、
上記上半部及び下半部の間に両者を真直姿勢に付勢して保持する一方、死線を越えて引っ張られた時に上記上半部と下半部とを相互に折り畳み方向に付勢するばね部材と、
上記捕獲用具本体内に設けられ、上記ストッパーのフックに引っ掛けられるワイヤーを有し、上記捕獲用具本体内に侵入した有害獣の動き又は重さによって上記ワイヤーを上記ストッパーの折り畳み方向に引っ張る獣検知機構と、を備えたことを特徴とする捕獲用具。
【請求項２】
上記獣検知機構は上記捕獲用具本体内の有害獣の脚に引っ掛かる高さにワイヤーを張架して滑車で支持し、該ワイヤーの先端を上記ストッパーのフックに引っ掛けて構成されている請求項１記載の捕獲用具。
【請求項３】
上記捕獲用具本体は檻又は柵である請求項１又は２記載の捕獲用具。
【請求項４】
捕獲用具本体の開口に落し蓋を上下スライド自在に支持して構成されて有害獣を捕獲する捕獲用具において、落し蓋を開放位置に保持するストッパー器具であって、
上半部と下半部とを相互に折り畳み可能に連結して構成され、上記上半部及び下半部の一方の先端が上記落し扉に、他方の先端が上記捕獲用具本体に各々回動可能に取付けられ、上記上半部と下半部の真直姿勢において上記落し蓋の荷重に抗して上記落し蓋を開放位置に保持する一方、その折り畳み動作によって上記落し蓋の落下を許容し、上記上半部及び下半部を折り畳み方向に引っ張るワイヤの先端が折り畳み動作中に離脱しえるように引っ掛けられるフックが設けられている棒状のストッパーと、
上記上半部及び下半部の間に両者を真直姿勢に付勢して保持する一方、死線を越えた引っ張られた時に上記上半部と下半部とを相互に折り畳み方向に付勢するばね部材と、
を備えたことを特徴とする捕獲用具のストッパー器具。
【請求項５】
上記ストッパーはその上半部と下半部とが横断面四角形状をなし、該上半部と下半部の横断面を重ね合わせ、折り畳み方向の側部を幅方向に延びる連結ピンにて折り畳み可能に連結して構成されている請求項４記載の捕獲用具のストッパー器具。
【請求項６】
上記ストッパーの下半部には上記上半部の折り畳み方向と直角な方向への倒れを阻止する倒れ防止バーが固定されている請求項４又は５記載の捕獲用具のストッパー器具。
【発明の詳細な説明】
【０００１】
【発明の属する技術分野】
本発明は捕獲用具に関し、特に猪や鹿を捕獲するのに最適な用具に関する。
【０００２】
【従来の技術】
山間部における乱開発等、最近の自然環境の悪化に伴い、山間部近くの田畑の農作物や果物、ゴルフ場の芝に猪や鹿による被害が多発する傾向にあり、かかる有害獣を駆除することが求められている。通常、有害獣を駆除する方法には猟銃による方法、くくりワナによる方法、捕獲用檻、捕獲用柵による方法が知られている。
【０００３】
しかし、猟銃による駆除方法では人家に近い場所や見通しの悪い場所においては人や家畜を死傷させるおそれがある。また、くくりワナを用いる方法では誤って人間や猟犬がワナに掛かるおそれがある。これに対し、捕獲用檻や捕獲用柵を用いる方法では近くまで来ると檻や柵が設置されていることをすぐに確認でき、猟銃やくくりワナに比して不都合が少ない。
【０００４】
従来この種の捕獲用檻や捕獲用柵では檻又は柵の本体を全体としてほぼ直方体形状に製作する一方、本体に落し扉を設け、捕獲時には落し扉を開けておき、例えば猪が本体内に侵入すると落し扉を落下させて猪を捕獲するという方式が一般的であった（例えば、実開昭６４−４３６８１号公報、等参照）。
【０００５】
【発明が解決しようとする課題】
しかし、従来の捕獲用具では扉落し機構が複雑であり、檻や柵を設置する際に落し扉を押し上げる作業員の他に、更に扉落し機構をセットする作業員を必要とし、２人以上いないと捕獲用具を設置できないという問題があった。
【０００６】
また、檻や柵の本体内にバーを横方向に延びて支持し、ワイヤーを猪や鹿の脚に引っ掛かるように張架し、あるいは檻や柵の本体内の踏み板とワイヤーやロッドを連携させ、猪や鹿が本体内に侵入した時に猪や鹿の動きによって落し扉を落下させるという方式が一般的であったので、大型の猪や鹿が捕獲され、これらが檻や柵の本体内で暴れると、バーにぶつかってバーが折れ曲がったり、ワイヤーが猪や鹿に引っ掛かった状態で暴れ回り、落し扉を落下させる扉落し機構も破壊されてしまい、次回に使用する際に扉落し機構を新しく用意しなければならないという問題があった。
【０００７】
本発明はかかる問題点に鑑み、一人で檻や柵を設置でき、しかも大型の猪や鹿等の有害獣を捕獲しても扉落し機構が破壊されることのないようにした捕獲用具を提供することを課題とする。
【０００８】
【課題を解決するための手段】
そこで、本発明に係る捕獲用具は、有害獣を捕獲する捕獲用具において、有害獣が侵入するための開口を有する捕獲用具本体と、該捕獲用具本体の開口に上下スライド自在に支持された落し扉と、上半部と下半部とを相互に折り畳み可能に連結して構成され、上記上半部及び下半部の一方の先端が上記落し扉に、他方の先端が上記捕獲用具本体に各々回動可能に取付けられ、上記上半部と下半部の真直姿勢において上記落し蓋の荷重に抗して上記落し蓋を開放位置に保持する一方、その折り畳み動作によって上記落し蓋の落下を許容し、上記上半部及び下半部を折り畳み方向に引っ張るワイヤの先端が折り畳み動作中に離脱しえるように引っ掛けられるフックが設けられている棒状のストッパーと、上記上半部及び下半部の間に両者を真直姿勢に付勢して保持する一方、死線を越えて引っ張られた時に上記上半部と下半部とを相互に折り畳み方向に付勢するばね部材と、上記捕獲用具本体内に設けられ、上記ストッパーのフックに引っ掛けられるワイヤーを有し、捕獲用具本体内に侵入した有害獣の動き又は重さによって上記ワイヤーを上記ストッパーの折り畳み方向に引っ張る獣検知機構と、を備えたことを特徴とする。
【０００９】
本発明の特徴の１つは折り畳み可能な棒状のストッパーをばね部材によって真直姿勢に付勢する一方、獣検知機構から延びるワイヤーをストッパーに引っ掛け、捕獲用具本体内に有害獣が侵入した時にワイヤーを引っ張って棒状ストッパーの折り畳みを開始するとともに、ワイヤーをストッパーから離脱させる一方、死線を越えたばね部材によってストッパーを折り畳み方向に付勢し、扉を落下させるようにした点にある。
【００１０】
これにより、作業員が落し扉を押し上げ又は引き上げると、棒状のストッパーが自動的に真直姿勢を保持するので、１人の作業員で捕獲用具を設置できる。また、ストッパーが折り畳みを開始すると、獣検知機構から延びるワイヤーがストッパーから外れるので、獣検知機構やストッパーが有害獣に引っ張られて破損することはなく、再使用が可能である。
【００１１】
獣検知機構は従来のワイヤー式や踏み板式等が採用できる。例えば、ワイヤー式を採用する場合には獣検知機構は捕獲用具本体内の有害獣の脚に引っ掛かる高さにワイヤーを張架して滑車で支持し、該ワイヤーの先端をストッパーのフックに引っ掛けて構成するのがよい。
【００１２】
ストッパーは捕獲用具本体内の開口側部に沿って起立して設けてもよく、捕獲用具本体の上面に起立して設けてもよい。例えば、捕獲用具本体が大型で落し扉が重い場合にはストッパーは捕獲用具本体内の側部に沿ってストッパーを設けるのがよく、捕獲用具本体が中型又は小型で落し扉を比較的軽い場合には捕獲用具本体の上面中央に起立して設けるのがよい。
【００１３】
捕獲用具本体は有害獣が侵入するための開口を有するものであればよく、従来と同様に、直方体状のフレームの各面に複数の金属棒材を格子状又は平行に組んだものを採用できる。また、落し扉は捕獲用具本体の開口を開閉できればよく、従来と同様に四角形状のフレームに複数の金属棒材を格子状又は平行に組んだものを採用できる。
【００１４】
請求の範囲でいう「捕獲用具」とは捕獲用檻及び捕獲用柵の両方を含む。どのような構造を捕獲用檻又は捕獲用柵というかについては場所によって異なる。例えば、本体の上面の１／２以上を開口したものを柵、上面が全て覆われているか又は上面の開口が１／２以下のものを檻と規定している地方があるが、一般的に鳥獣の捕獲用許可が必要なものを捕獲用檻、許可を必要としないものを捕獲用柵と規定していることが多い。そこで、本発明では許可を必要とするものを檻、許可を必要としないものを柵と定義する。
【００１５】
本発明におけるストッパー器具も新規である。即ち、本発明によれば、捕獲用具本体の開口に落し蓋を上下スライド自在に支持して構成されて有害獣を捕獲する捕獲用具において、落し蓋を開放位置に保持するストッパー器具であって、上半部と下半部とを相互に折り畳み可能に連結して構成され、上記上半部及び下半部の一方の先端が上記落し扉に、他方の先端が上記捕獲用具本体に各々回動可能に取付けられ、上記上半部と下半部の真直姿勢において上記落し蓋の荷重に抗して上記落し蓋を開放位置に保持する一方、その折り畳み動作によって上記落し蓋の落下を許容し、上記上半部及び下半部を折り畳み方向に引っ張るワイヤの先端が折り畳み動作中に離脱しえるように引っ掛けられるフックが設けられている棒状のストッパーと、上記上半部及び下半部の間に両者を真直姿勢に付勢して保持する一方、死線を越えた時に上記上半部と下半部とを相互に折り畳み方向に付勢するばね部材と、を備えたことを特徴とする捕獲用檻のストッパー器具を提供することができる。
【００１６】
棒状ストッパーを構成する上半部と下半部はどのようなものでもよいが、所望の強度及び折り畳み性を確保する上で、横断面四角形状がよい。また、上半部と下半部とは単に連結ピンで折り畳み可能に連結してもよいが、真直姿勢を確実に保持するとともに折り畳み方向を安定させる上で、両者の中心線から離れた箇所で連結するのがよい。
【００１７】
即ち、ストッパーはその上半部と下半部とが横断面四角形状をなし、該上半部と下半部の横断面を重ね合わせ、折り畳み方向の側部を幅方向に延びる連結ピンにて折り畳み可能に連結して構成されるのがよい。
【００１８】
ストッパーの上半部と下半部とを単に連結ピンで連結すると、落し扉が重い場合にストッパーに加わる負荷が大き過ぎて上半部が連結ピンで側方に折れ曲がるおそれがある。そこで、ストッパーの下半部には上半部の折り畳み方向と直角な方向屁の倒れを阻止する倒れ防止バーを固定するのがよい。
【００１９】
【発明の実施の形態】
以下、本発明を具体例に基づいて詳細に説明する。図１ないし図４は本発明に係る捕獲用具の好ましい実施形態を示し、これは捕獲用檻に適用した例である。図において、檻本体（捕獲用具本体）１０ではフレーム１１がＬ字アングル又は断面四角形状のパイプを前後方向に長くなったほぼ直方体状に組付けて製作され、フレーム１１の正面を除く４面（上面、両側面及び背面）には複数の金属棒材が格子状に組まれて端部がフレーム１１に固定されている。なお、底面にも棒材が格子状に組まれることもある。
【００２０】
フレーム１１の正面は開口され、該開口の両側部にはほぼコ字状をなすガイドフレーム１２が上方に突設して固定され、該ガイドフレーム１２の両側部分は断面コ字形状が対向されている。このガイドフレーム１２の断面コ字状内には落し扉２０の両側部分が上下スライド自在に嵌め込まれることにより、落し扉２０は檻本体の開口に上下スライド自在に支持されている。
【００２１】
落し扉２０ではフレーム２１がＬ字アングル又は断面四角形状のパイプを用いてほぼ四角形状に組付けられ、フレーム２１には複数の金属棒材が格子状に組まれてフレーム２１に固定されている。なお、落し扉２０は押し上げ式としているが、檻本体１０のガイドフレーム１２に滑車を設けて引き上げ式に構成することもできる。
【００２２】
また、檻本体１０の開口の一側縁にはストッパー器具３０が設けられ、該ストッパー器具３０は図３に示されるようにストッパー４０とコイルばね（ばね部材）５０とから構成されている。
【００２３】
ストッパー４０は横断面四角形状の金属製パイプを用いて製作され、上半部４１と下半部４２とを両者の横断面を重ね合わせ、両者の中心線から離れた部位で幅方向に延びる連結ピン４３で回転自在に連結して構成されている。
【００２４】
また、ストッパー４０の下半部４２の上端部側面には横断面四角形状の倒れ防止バー４４が上方に突出して固定されており、上半部４１は倒れ防止バー４４によって折り畳み方向と直角な方向への倒れを阻止されている。この倒れ防止パー４４及び上半部４１にはロック穴４５、４５が合致するように穿設され、該ロック穴４５、４５にはロックピン４６が差し込まれて上半部４１と下半部４２とを真直姿勢にロックできるようになっている。
【００２５】
また、ストッパー４０の上半部４１の上端部及び下半部４２の下端部には係止穴４７、４８が穿設されている。他方、落し扉２０のフレーム２１の下端側部及び檻本体１０のフレーム１１開口側縁下端部には係止穴（図示せず）が穿設され、ストッパー４０の上下の係止穴４７、４８と落し扉２０及び檻本体１０の係止穴が合致され、係止ピン４９、４１０が挿通されてワッシャ４１１、４１２及び割りピン４１３、４１４によって抜け止めされることにより、ストッパー４０の上下両端部は落し扉２０及び檻本体１０に回転可能に連結されている。
【００２６】
なお、落し扉２０側には上下方向に複数の係止穴を設けて落し扉２０の開放高さを選択できるようにしてもよい。
【００２７】
さらに、ストッパー４０の倒れ防止バー４４にはＵ字状をなすフック４１５、４１５が上下に所定の間隔をあけて固着され、該フック４１５にはワイヤー６０の先端リング部６２が離脱可能に引っ掛けられるようになっている。このワイヤー６０の他端側は図２に示されるように滑車６１・・・によって檻本体１０に沿って張架された後、檻本体１０内に侵入した獣の脚に引っ掛かる高さに張架されており、こうして獣検知機構が構成されている。
【００２８】
なお、獣検知機構は獣の体重を受ける踏み板、踏み板が踏まれることによって引っ張られるワイヤーによって構成することもでき、又その他の公知の方式を採用することもできる。
【００２９】
また、ストッパー４０の上半部４１の下端部と下半部４２の上端部にはコイルばね（ばね部材）５０が引っ張った状態で張架されおり、図4 の(a)に示されるようにコイルばね５０は上半部４１と下半部４２の真直姿勢ではその真直姿勢を維持するように付勢する一方、ストッパー４０がワイヤー６０によって引っ張られて上半部４１と下半部４２とがコイルばね５０の付勢力及び落し扉２０の荷重に抗して折り畳まれ始め、ストッパー４０がワイヤー６０によってさらに引っ張られて図４の(b)に示されるようにコイルばね５０が最大引っ張り位置（死線）ａを越えると、上下の半部４１、４２が側方に偏心した位置で枢支されているので、今度は上半部４１と下半部４２はコイルばね５０の付勢力及び落し扉２０の荷重とによって急激に折り畳まれるようになっている。
【００３０】
本例の捕獲用檻を設置する場合、捕獲用檻を車両等によって設置すべき場所まで運搬し、捕獲用檻を車両の荷台から所望の場所に降ろした後、落し扉２０を所定の高さまで押し上げると（又は引き上げると）、ストッパー４０の上半部４１と下半部４２とが真直姿勢となり、コイルばね５０の付勢力によって真直姿勢を維持されるので、落し扉２０は開放状態に保持される。その際、ロックピン４６をロック穴４５、４５に差し込んで不意にストッパー４０が折れ曲がらないようにするのがよい。
【００３１】
また、檻本体１０内にはワイヤー６０を張架して滑車６１・・・で支持した後、ワイヤー６０の先端リング部６２をストッパー４０のフック４１５に引っ掛け、こうして準備が済むと、ロックピン４６を引き抜いておく。その際、ストッパー４０はコイルばね５０の付勢力によって真直姿勢に保持され、落し扉２０が落下することはない。こうして一人の作業員によって捕獲用檻を設置できることとなる。
【００３２】
例えば、猪が落し扉２０の開いた檻本体１０内に侵入し、ワイヤー６０を引っ掛けると、ストッパー４０がワイヤー６０によって引っ張られ、コイルばね５０の付勢力及び落し扉２０の荷重に抗して折り畳まれ始める。ストッパー４０がさらに引っ張られると、コイルばね５０はその最大引っ張り位置まで伸びた後、今度はコイルばね５０の付勢力及び落し扉２０の荷重によってストッパー４０が急激に折れ畳まれ、落し扉２０は檻本体１０の開口を封鎖することとなる。
【００３３】
その際、ストッパー４０が折れ曲がると、ワイヤー６０の先端リング部６２がストッパー４０のフック４１５から簡単に抜けるので、猪が捕獲用檻内で暴れてもストッパー４０や滑車６１・・・が無理に引っ張られて壊れることはなく、捕獲用檻を再度セットする場合にストッパー４０や滑車６１・・・を新しく用意する必要もない。
【００３４】
図５及び図６は第２の実施形態を示し、図において図１ないし図４と同一符号は同一又は相当部分を示す。本例ではストッパー器具３０を檻本体１０の上面に配置し、ストッパー４０の上半部４１の上端部を落とし扉２０のフレーム２１上端中央に連結し、ストッパー４０の下半不４２の下端部を檻本体１０のフレーム１１前側上端中央に連結している。なお、落とし扉２０のフレーム２１上端中央には複数の係止穴を有するプレートを立てて固定し、落し扉２０の開放高さを選択できるようにしてもよい。
【００３５】
また、檻本体１０の開口上端側には取付バー１５が横方向に延びて固定され、該取付バー１５にはブラケット８１によって係止ロッド８２が回動自在に支持され、係止ロッド８２はＬ字状の本体の先端を更に折り曲げて構成されており、係止ロッド８２は図５の(b) に示されるよさうに、本体部分の重みによって常に  逆Ｌ字状の姿勢を保持するようになっている。他方、落し扉２０の上方部位には係止ロッド８２の先端折り曲げ部分が引っ掛かるロッド受け８３が設けられている。
【００３６】
上記と同様にストッパー４０が引っ張られて落とし扉２０が落下すると、落し扉２０はその格子によって係止ロッド８２の先端折り曲げ部分を蹴り下げながら落下し、落し扉２０が完全に閉じると、係止ロッド８２の先端折り曲げ部分が落し扉２０のロッド受け８３に引っ掛かる。すると、猪が捕獲用檻に捕獲された時に、猪が鼻等を使って落とし扉２０を無理に押し上げようとしても係止ロッド８２がロット受け８３に引っ掛かって係止されているので、落し扉２０が開くことはない。
【００３７】
図７は第３の実施形態を示し、これは捕獲用柵に適用した例である。本例では柵本体（捕獲用具本体）１００ではフレーム１１０がＬ字アングル又は断面四角形状のパイプを前後方向に長くなったほぼ直方体状に組付けて製作され、フレーム１１０の正面を除く両側面及び背面（底面も含まれることもある）には複数の金属棒材が格子状に組まれて端部がフレーム１１０に固定されている。
【００３８】
フレーム１１０の上面はその１／２以上の大きさの開口を残して複数の金属棒材が格子状に組まれて端部がフレーム１１０に固定されている。
【００３９】
また、フレーム１１０の正面は開口され、該開口の両側部にはほぼコ字状をなすガイドフレーム１２０が上方に突設して固定され、該ガイドフレーム１２０の両側部分は断面コ字形状が対向されている。このガイドフレーム１２０の断面コ字状内には落し扉２０の両側部分が上下スライド自在に嵌め込まれることにより、落し扉２０は檻本体の開口に上下スライド自在に支持されている。
【００４０】
なお、他の部分の構造は第１の実施形態と同様であり、又第１の実施形態と同様の作用効果を奏するので、その詳細な説明は省略する。
【図面の簡単な説明】
【図１】  本発明に係る捕獲用檻の好ましい実施形態を示す概略斜視図である。
【図２】  上記実施形態を示す平面構成図である。
【図３】  上記実施形態におけるストッパー器具を示す図である。
【図４】  上記ストッパー器具の動作を模式的に示す図である。
【図５】  第２の実施形態を示す正面(a) 及び要部(b) を示す図である。
【図６】  上記実施形態を示す側面図である。
【図７】  第３の実施形態を示す概略斜視図である。
【符号の説明】
１０    檻本体（捕獲用具本体）
１１    フレーム
２０    落し扉
２１    フレーム
３０    ストッパー器具
４０    ストッパー
４１    上半部
４２    下半部
４３    連結ピン
４４    倒れ防止バー
４１５    フック
５０    コイルばね（ばね部材）
６０    ワイヤー（獣検知手段）
６１    滑車（獣検知手段）
６２    先端リング部
１００      柵本体（捕獲用具本体）
【図１】
0003735775.tif 000002
【図２】
0003735775.tif 000003
【図３】
0003735775.tif 000004
【図４】
0003735775.tif 000005
【図５】
0003735775.tif 000006
【図６】
0003735775.tif 000007
【図７】
0003735775.tif 000008